(57)【特許請求の範囲】
【請求項１】
被冷却物を保冷する保冷庫を備えた陸上輸送用の車輌に搭載される陸上輸送用冷凍装置であって、
前記車輌の走行用エンジンにより駆動されるコンプレッサと、
前記走行用エンジンの動力を前記コンプレッサに接又は断とするクラッチと、
前記クラッチの動作を制御するコントローラと、を備え、
前記コントローラは、
前記走行用エンジンが停止されてから始動時までに所定時間Ｔ１が経過した場合に限り、前記クラッチを所定時間Ｔ２だけ接とすることにより、前記走行用エンジンの動力を前記コンプレッサに伝達して液排出運転を行い、
前記液排出運転が所定回数Ｍだけ連続して行なわれた後は、前記走行用エンジンが停止されてから前記時間Ｔ１が経過しても、前記クラッチを接としないことを特徴とする陸上輸送用冷凍装置。
【請求項２】
前記コントローラは、
外気温度と前記コンプレッサ又はその周囲の温度との温度差が所定値に達していない場合には、前記クラッチを接としないことを特徴とする請求項１に記載の陸上輸送用冷凍装置。
【発明の詳細な説明】
【技術分野】
【０００１】
本発明は、陸上輸送用冷凍装置に関し、特にコンプレッサに溜まった液冷媒を排出する液排出運転を行なう陸上輸送用冷凍装置に関するものである。
【背景技術】
【０００２】
陸上輸送用冷凍装置（以下、単に冷凍装置ということがある）は、例えばトラック等からなる陸上輸送用車輌（以下、単に車輌ということがある）の荷台に積載されている保冷庫の内部を冷却し、内部に積み込んだ被冷却物を所望の低温に維持するものであり、コンプレッサ、コンデンサ、エバポレータ等の機器類を冷媒配管で接続した冷凍サイクルを構成する他、これら機器の運転を制御するコントローラ等を備えている。
【０００３】
この陸上輸送用冷凍装置の運転を長期間行なわないでいると、コンプレッサ内部に液冷媒が溜まることがある。特に、コンプレッサの温度が、外気の温度に比べて低くなると、コンプレッサへ液冷媒が溜まる現象が顕著となる。車輌走行用エンジンをコンプレッサの駆動源とする車輌の場合、コンプレッサ内部に液冷媒が溜まった状態で、冷凍装置を運転するために走行中にコンプレッサを駆動すると、コンプレッサが損傷するおそれがある。回転数の高い走行中のエンジンの動力が伝達されると、コンプレッサは回転角速度が高い状態で駆動され、溜まった液冷媒が急激に圧縮されるため、コンプレッサが損傷する。
【０００４】
この問題を解消するために、エンジンの始動時に、電磁クラッチを介してエンジンとコンプレッサとを接続し、所定の短時間だけコンプレッサを駆動させ、溜まった液冷媒をコンプレッサから排出させる液排出運転が行なわれている（例えば、特許文献１）。液排出運転は、回転数が低いエンジン始動時にコンプレッサを駆動させるので、急激な圧縮圧力が生ずることがない。
【０００５】
【特許文献１】特開平５−４５０１０号公報（図２）
【発明の開示】
【発明が解決しようとする課題】
【０００６】
液排出運転を行なうと、液冷媒とともに、コンプレッサから潤滑油が排出されてしまう。コンプレッサから排出される潤滑油は、コンプレッサを正規に運転すれば、系内を循環してコンプレッサに戻るが、液排出運転のための短時間の駆動では、潤滑油は排出されたままとなり、コンプレッサに戻らない。従来の冷凍装置では、エンジン始動の度に液排出運転が行なわれていた。このことは、コンプレッサに液冷媒が溜まっていないときでも、液排出運転が不必要に行なわれていたことを意味する。したがって、従来の冷凍装置は、コンプレッサから必要以上に潤滑油を排出させることになり、コンプレッサが潤滑油不足に陥りやすいという問題がある。また、従来の冷凍装置は、液排出運転の度に電磁クラッチが作動するため、電磁クラッチの寿命を縮めてしまうという問題も指摘されている。
本発明は、このような問題に鑑みてなされたもので、液排出運転を行なうことによってコンプレッサ内における急激な液冷媒の圧縮を回避しつつ、不必要な液排出運転を行なうことのない冷凍装置を提供することを目的とする。
【課題を解決するための手段】
【０００７】
走行用エンジンをコンプレッサの駆動源とする車輌は、エンジンルーム内にコンプレッサが配置される。エンジンルーム内は、車輌の周囲に比べて温度変化が小さい。したがって、車輌を昼夜にわたって駐車したままにしておくと、温度の上がりにくいエンジンルーム内に設置されたコンプレッサは、外気の温度に比べて温度の上昇が小さいため、コンプレッサはそれ以外の冷凍装置の系内に比べて温度が低くなる。冷凍サイクル中に存在する冷媒は、冷凍装置系内の相対的に温度の低いところに移動するので、エンジンを停止した状態が長く続くと、冷媒はコンプレッサに溜まる。逆に、冷凍サイクルを運転していなくても、走行用のエンジンが駆動されている最中、またはエンジンが停止してからそれ程時間が経過していなければ、エンジンルーム内にあるコンプレッサの温度がそれほど低くなることがない。そこで、本発明は、エンジンが停止してからの経過時間を、液排出運転を行なうか否かの判断要素とする、以下の冷凍装置を提案する。
【０００８】
すなわち本発明は、被冷却物を保冷する保冷庫を備えた陸上輸送用の車輌に搭載される冷凍装置であって、車輌の走行用エンジンにより駆動されるコンプレッサと、走行用エンジンの動力をコンプレッサに接又は断とするクラッチと、クラッチの動作を制御するコントローラと、を備え、コントローラは、走行用エンジンが停止されてから始動時までに所定時間Ｔ１が経過した場合に限り、クラッチを所定時間Ｔ２だけ接とすることにより、走行用エンジンの動力をコンプレッサに伝達して液排出運転を行うことを特徴とする。
【０００９】
本発明に係るコントローラは、液排出運転が所定回数Ｍだけ連続して行なわれた後は、走行用エンジンが停止されてから始動時までに時間Ｔ１が経過しても、クラッチを接としない。
液排出運転をあまり多く繰り返すと、コンプレッサ内の潤滑油が外部に排出される量が多くなる。そこで、液排出運転を繰り返す回数を制限することにより、コンプレッサ内の潤滑油不足を回避するのである。
【００１０】
本発明に係るコントローラは、外気温度とコンプレッサ又はその周囲の温度との温度差が所定値に達していない場合には、クラッチを接としない、つまり液排出運転を行わないことが好ましい。
冷媒がコンプレッサに溜まるのは、上述したように、コンプレッサの温度が相対的に低くなった場合である。そこで、コンプレッサの温度が相対的に低くない場合には、液排出運転を行なわないことにするのである。
【発明の効果】
【００１１】
本発明によれば、走行用エンジンが停止されてから始動時までに所定時間が経過した場合に限り、所定時間だけクラッチを接とするので、不必要な液排出運転を行なうことがない。このように液排出運転を行なう頻度を下げることにより、本発明は、従来の冷凍装置に比べて、コンプレッサから排出される潤滑油の量を低減できるとともに、電磁クラッチの寿命を延ばすことができる。
【発明を実施するための最良の形態】
【００１２】
＜第１実施形態＞
以下、添付図面に示す実施の形態に基づいてこの発明を詳細に説明する。
図１、図２に示されるように、第１実施形態に係る冷凍装置（陸上輸送用冷凍装置）１００は、保冷庫２を備えた陸上輸送用の車輌１に搭載されており、車輌１の運転室上に設置されたエバポレータ・コンデンサ一体ユニット２０と、車輌１のエンジンルーム内に設置されたコンプレッサ５０と、運転室内に設置されたキャビンコントローラ６１と保冷庫２の外側下部に設置されたメインコントローラ６２とからなるコントローラ６０とを主たる構成要素としている。
冷凍装置１００は、車輌の走行用エンジン３からコンプレッサ５０の駆動力を得る直結方式である。
【００１３】
冷凍装置１００は、車輌１のエンジンルーム内に設置されるコンプレッサ５０がガス冷媒を圧縮してコンデンシング部４０へ供給する。コンプレッサ５０とコンデンシング部４０との間は、高圧冷媒配管７１によって連結されている。コンプレッサ５０は、走行用エンジン３からの動力を、電磁クラッチ５１を介して伝達される。電磁クラッチ５１は、コントローラ６０の指令に基づいて、ＯＮ（接）又はＯＦＦ（断）の制御がなされる。
【００１４】
コンデンシング部４０には、高圧のガス冷媒と外気とを熱交換させるコンデンサ４１が設置されている。コンデンサ４１を通過する外気は、ファンモータ４３で駆動されるコンデンサファン４２の作動によってコンデンシング部４０内に導入される。コンデンサ４１で凝縮して液化された冷媒（液冷媒）はレシーバ４４を通過して気液の分離がなされた後、ドライヤ４５を経て冷媒配管で連結されたエバポレータ部３０へ供給される。
【００１５】
エバポレータ部３０は、エバポレータ３１と、エバポレータファン３２と、気液熱交換器３４と、膨張弁３５とを備えている。エバポレータ部３０に導入された液冷媒は、気液熱交換器３４を通過して冷却された後、絞り機構である膨張弁３５へ導かれる。膨張弁３５を通過する液冷媒は、減圧されてエバポレータ３１へ供給される。エバポレータ３１は、液冷媒と冷凍庫２内を循環する空気（以下、循環空気）とを熱交換させる機能を有している。この循環空気は、ファンモータ３３を駆動源とするエバポレータファン３２の作動によって、保冷庫２内の空気がエバポレータ３１を通過するよう吸引されて循環される。エバポレータ３１で循環空気と熱交換された液冷媒は蒸発してガス冷媒となり、一方、循環空気は気化熱が奪われて冷却される。
【００１６】
こうして冷却された循環空気が保冷庫２の内部を循環することで、保冷庫２の内部は所望の温度に冷却される。また、エバポレータ３１で蒸発したガス冷媒は、気液熱交換器３４を通過して液冷媒を冷却した後、低圧冷媒配管７２を通ってアキュムレータ７０へ導かれる。このアキュムレータ７０では気液分離がなされ、ガス冷媒のみがコンプレッサ５０へ吸引されて再度圧縮される。以下、このような状態変化を繰り返す冷媒が冷媒配管を循環することで、冷凍装置１００の冷凍サイクルが形成される。
【００１７】
冷凍装置１００は、上述した冷凍サイクルの動作を司るコントローラ６０を備えている。コントローラは、各種の運転操作を行うキャビンコントローラ６１と、キャビンコントローラ６１に対する運転操作に基づいて冷凍サイクルを制御するメインコントローラ６２とから構成される。
キャビンコントローラ６１は、一般に、液晶表示装置などからなる表示部と、音声を出力する音声出力部を備えている。
メインコントローラ６２は、液排出運転を実行させる液排出運転制御部６２ａと、タイマ６２ｂと、回数カウンタ６２ｃとを備えている。
【００１８】
液排出運転制御部６２ａは、所定時間を超えて車輌１が運転されなかった場合（つまり、走行用エンジンが駆動されなかった場合）に、コンプレッサ５０に液冷媒が溜まったものとみなし、走行用エンジン３の始動時に、コンプレッサ５０を駆動させて液排出運転を行わせる。また、タイマ６２ｂは、走行用エンジン３が駆動された時刻、停止された時刻を検知し、走行用エンジン３が停止してからの経過時間ＴＲを計測する。さらに、回数カウンタ６２ｃは、液排出運転を実行した回数を記録する。
【００１９】
冷凍装置１００は、走行用エンジン３が停止してから時間Ｔ１（以下、単にＴ１）以上が経過したとすると、コンプレッサ５０に液冷媒が溜まっているものとみなす。そこで冷凍装置１００は、走行用エンジン３が始動されると、図３に示されるように、電磁クラッチ５１をＯＮ（接）にする。そうすると、コンプレッサ５０には走行用エンジン３の動力が伝達され、コンプレッサ５０が駆動される。これにより、コンプレッサ５０に溜まっていた液冷媒は、高圧冷媒配管７１に排出される。
電磁クラッチ５１のＯＮは、時間Ｔ２（以下、単にＴ２）の間だけ行い、電磁クラッチ５１をＯＮにしてからＴ２が経過すると、電磁クラッチ５１をＯＦＦ（断）にしてコンプレッサ５０の駆動を停止する。あまり長時間にわたってコンプレッサ５０を駆動すると、コンプレッサ５０からの潤滑油の排出量が多くなるからである。
Ｔ１、Ｔ２は、冷凍装置１００、特にコンプレッサ５０の仕様によって適宜定めるべきであるが、Ｔ１は２０〜３０時間の範囲から選択し、Ｔ２は１〜１０秒の範囲から選択すればよい。
【００２０】
Ｔ２の間にコンプレッサ５０を駆動する液排出運転を実行した後に、さらにＴ１以上走行用エンジン３が停止されていた場合には、次に走行用エンジン３が始動されると、図３に示されるように、電磁クラッチ５１をＯＮにして液排出運転を行う。以後も同様にして、Ｔ１以上の間にわたって走行用エンジン３が停止されていた場合には、次に走行用エンジン３が始動されると、電磁クラッチ５１をＯＮにして液排出運転を行う。ただし、冷凍装置１００を運転することなく、液排出運転のみを繰り返すと、コンプレッサ５０からの潤滑油の排出量が多くなり、コンプレッサ５０の以後の運転に支障をきたす。したがって、液排出運転は、連続した回数Ｍを制限することが好ましい。液排出運転が、連続した回数Ｍに達したならば、以後は液排出運転の機能を無効にして、液排出運転を行わないのである。この回数Ｍは、液排出運転の条件に応じて設定されるが、２〜１０回の範囲から選択されることが好ましい。
【００２１】
以上、本実施の形態による液排出運転の要旨を説明したが、次に、液排出運転制御部６２ａによる液排出運転の制御手順を、図４を参照しつつ説明する。
液排出運転制御部６２ａは、走行用エンジン３の始動のために車輌１のイグニッションキーが回されると（図４  Ｓ１０１（車輌ＩＧ−ＯＮ））、それを検知する。
液排出運転制御部６２ａは、車輌ＩＧ−ＯＮを検知すると、液排出運転機能が「有効」又は「無効」の判断を行う（図４  Ｓ１０３）。前述したように、液排出運転をＭ回連続して実行した場合には、液排出運転機能が無効とされるので、ステップＳ１０３において、液排出運転機能が無効の場合には、液排出運転制御部６２ａは、その後の手順を実行することなく、処理を終了する。
【００２２】
液排出運転機能が有効な場合には、液排出運転制御部６２ａは、車輌１（車輌）の走行用エンジン３が停止してからＴ１以上経過した否かを判断する（図４  Ｓ１０５）。この判断のために、液排出運転制御部６２ａは、タイマ６２ｂに記憶されている走行用エンジン３が停止してからの経過時間ＴＲを取得する。そして、このステップＳ１０５において、ＴＲ≧Ｔ１の場合には次のステップＳ１０７に進み、液排出運転を実行する。一方、ＴＲ＜Ｔ１の場合には、液排出運転機能は有効のまま継続するが（図４  Ｓ１１９）、液排出運転を実行することなく処理を終了する。
【００２３】
液排出運転制御部６２ａは、走行用エンジン３が停止してからＴ１以上経過したものと判断すると、電磁クラッチ５１をＯＮにする（図４  Ｓ１０７）。そうすると、液冷媒が溜まっていたとしても、コンプレッサ５０が駆動されることにより、その液冷媒は高圧冷媒配管７１に排出される。このとき、走行用エンジン３は始動直後なので、コンプレッサ５０内で液冷媒が急激に圧縮されることはない。また、冷凍装置１００は、走行用エンジン３が停止してからＴ１以上経過した場合に限り液排出運転を行うので、コンプレッサ５０から排出される潤滑油の量を低減でき、また、電磁クラッチ５１の動作回数を抑えることにより、電磁クラッチ５１の寿命を延ばすことができる。なお、液排出運転制御部６２ａは、電磁クラッチ５１をＯＮにすると同時に、そのことをタイマ６２ｂに対して通知する。タイマ６２ｂは、電磁クラッチ５１がＯＮにされたことの通知を受けると、電磁クラッチ５１がＯＮにされてからの時間を計る。
【００２４】
液排出運転制御部６２ａは、電磁クラッチ５１がＯＮにされてからの時間Ｔｒを、タイマ６２ｂから取得し、電磁クラッチ５１をＯＮしてからＴ２に達したか否かを判断する（図４  Ｓ１０９）。時間ＴｒがＴ２に達していなければ、液排出運転制御部６２ａは電磁クラッチ５１をＯＮさせたままにして、液排出運転を継続する。一方、時間ＴｒがＴ２に達した、つまりＴｒ＝Ｔ２になると、液排出運転制御部６２ａは、電磁クラッチ５１をＯＦＦにして（図４  Ｓ１１１）、走行用エンジン３の動力を、コンプレッサ５０から切り離して液排出運転を終了させる。
【００２５】
次に、液排出運転制御部６２ａは、液排出運転を実行したことのカウントを、回数カウンタ６２ｃに加算させる（図４  Ｓ１１３）。回数カウンタ６２ｃは、過去に実行された液排出運転の回数（ｎ）を蓄積しており、当該加算により、液排出運転の回数はｎ＋１となる。
なお、冷凍装置１００を一定時間運転すると、コンプレッサ５０から排出された潤滑油は、冷媒回路を一巡してコンプレッサ５０に戻ることが想定される。したがって、冷凍装置１００が一定時間以上運転された場合には、回数カウンタ６２ｃに記憶されている回数（ｎ）をクリアすることができる。
【００２６】
前述したように、冷凍装置１００は、液排出運転を連続して行う回数を制限する。そこで、液排出運転制御部６２ａは、回数カウンタ６２ｃに記録された、液排出運転が連続して行われた回数（ｎ＋１）が、制限回数であるＭに達したか否かを判断する（図４  Ｓ１１５）。つまり、ステップＳ１１５において、（ｎ＋１）＜Ｍであれば、液排出運転機能を有効のまま継続させる（図４  Ｓ１１９）。したがって、以後に、車輌１の走行用エンジン３が停止してからＴ１以上経過した場合には、上述した液排出運転が図４に示される手順で実行される。
一方、回数（ｎ＋１）が、制限回数であるＭに達した、つまり（ｎ＋１）＝Ｍであれば、液排出運転制御部６２ａは、液排出運転機能を無効にする（図４  Ｓ１１７）。したがって、以後に、車輌１（車輌）の走行用エンジン３が停止してからＴ１以上経過したとしても、図４に示される手順に従った液排出運転が実行されることはない。また、液排出運転制御部６２ａは、液排出運転機能を無効にしたときには、キャビンコントローラ６１に、その旨を表示させる、あるいはその旨の音声を出力させて、運転手に注意を喚起することが好ましい。運転手は、この注意喚起がなされた場合には、冷凍装置１００を所定時間だけ運転すればよい。
【００２７】
以上説明したように、冷凍装置１００は、車輌１（車輌）の走行用エンジン３が停止してからＴ１以上経過した場合に限って、液排出運転を行うことにした。したがって、走行用エンジン３の始動の度に液排出運転を行っていた従来の冷凍装置に比べて、潤滑油の排出量を低減できる。また、冷凍装置１００は、液排出運転を行う頻度が従来の冷凍装置に比べて少なくなったのに伴い、電磁クラッチ５１の作動回数が少なくなるので、電磁クラッチ５１の寿命が従来の冷凍装置に比べて延びる。また、冷凍装置１００は、連続して液排出運転を行う回数を制限したので、コンプレッサ５０内に貯留される潤滑油の量を確保することができる。
【００２８】
＜第２実施形態＞
第２実施形態に係る冷凍装置（陸上輸送用冷凍装置）２００は、第１実施形態に係る冷凍装置１００よりも、さらに液排出運転の頻度を下げることができる。
冷凍装置２００の構成を図５に示すが、外気温度計７３とコンプレッサ温度計７４を設けた以外は、冷凍装置１００と構成が一致している。したがって、冷凍装置１００と一致している構成については、冷凍装置１００と同一の符号を図５に付して、その説明を省略する。
【００２９】
冷凍装置２００において、外気温度計７３とコンプレッサ温度計７４とが、それぞれ、メインコントローラ６２に接続されている。メインコントローラ６２は、外気温度計７３で測定された外気の温度データｔ(ｏｕｔ)を取得する。また、メインコントローラ６２は、コンプレッサ温度計７４で測定されたコンプレッサ５０の近傍の温度データｔ(ｃｏｍｐ)を取得する。メインコントローラ６２の液排出運転制御部６２ａは、取得した温度データｔ(ｏｕｔ)と温度データｔ(ｃｏｍｐ)とを演算することにより、外気温度とコンプレッサ５０の近傍の温度との差Δｔを求める。
【００３０】
冷凍装置２００による液排出運転の制御手順は、図６に示されるように、ステップＳ１０４が追加されたことを除き、第１実施形態の制御手順と同じである。そこで、ここでは、ステップＳ１０４に関して説明する。
ステップＳ１０３で液排出運転機能が有効と判断された場合には、液排出運転制御部６２ａは、取得した温度データｔ(ｏｕｔ)と温度データｔ(ｃｏｍｐ)とを演算することにより、外気温度とコンプレッサ５０の近傍の温度との差Δｔを求める。具体的には、Δｔ＝ｔ(ｏｕｔ)−ｔ(ｃｏｍｐ)の演算が行われる。
【００３１】
液排出運転制御部６２ａは、Δｔが基準温度差ｔ（ｓｔ）を超えているか否か判断する（図６  Ｓ１０４）。
Δｔが基準温度差ｔ（ｓｔ）を超えていなければ、コンプレッサ５０に液冷媒が溜まっていないものとみなして、液排出運転制御部６２ａは、その後の手順を実行することなく、処理を終了する。つまり、液排出運転は行われない。
Δｔが基準温度差ｔ（ｓｔ）を超えていれば、液排出運転制御部６２ａは、次のステップＳ１０５において、走行用エンジン３が停止してからＴ１以上経過した否かを判断する。以後も、第１実施形態で説明したとおりに、手順が進められる。
【００３２】
前述したように、冷凍装置２００の系内においてコンプレッサ５０の温度が相対的に低い場合に、液冷媒がコンプレッサ５０に溜まりやすい。逆に、冷凍装置２００の系内の他の部分とコンプレッサ５０との温度差が小さければ、コンプレッサ５０に液冷媒が溜まることがないので、液排出運転を行う必要がない。そこで、第２実施形態の冷凍装置２００は、冷凍装置２００の系内の他の部分とコンプレッサ５０との温度差Δｔを求め、Δｔが基準温度差ｔ（ｓｔ）を超えている場合に限り、液排出運転を行う制御手順を進めることにした。したがって、第２実施形態は、第１実施形態に比べて、液排出運転を行う頻度をさらに低くすることができる。これにより、第２実施形態の冷凍装置２００は、コンプレッサ５０からの潤滑油の排出量をさらに低減しつつ、電磁クラッチ５１の寿命をより延ばすことができる。
【００３３】
冷凍装置２００は、Δｔを求めるのに外気温度計７３で測定された外気の温度データｔ(ｏｕｔ)を用いたが、本発明はこれに限るものでないことはいうまでもない。冷凍装置２００の系内におけるコンプレッサ５０の相対的な温度を知ることができるのであれば、エバポレータ３１近傍の温度、コンデンサ４１近傍の温度等を外気温度と代替してΔｔを求めることもできる。
【００３４】
以上、本発明に係る第１実施形態、第２実施形態を説明したが、本発明はこれら実施形態に限定されるものでなく、本発明の主旨を逸脱しない限り、上記実施の形態で挙げた構成を取捨選択し、他の構成に適宜変更することが可能である。例えば、第１実施形態、第２実施形態は、エバポレータとコンデンサとが一体となったユニット(エバポレータ・コンデンサ一体ユニット２０)を用いた冷凍装置を示したが、エバポレータユニットとコンデンシングユニットとが独立して配置された冷凍装置に本発明を適用できる。
【図面の簡単な説明】
【００３５】
【図１】第１実施形態に係る冷凍装置を搭載した車輌を示す斜視図である。
【図２】第１実施形態に係る冷凍装置の構成を示す図である。
【図３】第１実施形態に係る冷凍装置における液排出運転の要旨を示す図である。
【図４】第１実施形態に係る冷凍装置における液排出運転の制御手順を示すフローチャートである。
【図５】第２実施形態に係る冷凍装置の構成を示す図である。
【図６】第２実施形態に係る冷凍装置における液排出運転の他の制御手順を示すフローチャートである。
【符号の説明】
【００３６】
１…車輌、２…保冷庫、３…走行用エンジン、１００，２００…冷凍装置（陸上輸送用冷凍装置）、２０…エバポレータ・コンデンサ一体ユニット、３０…エバポレータ部、３１…エバポレータ、３４…気液熱交換器、３５…膨張弁、４０…コンデンシング部、４１…コンデンサ、４４…レシーバ、４５…ドライヤ、５０…コンプレッサ、５１…電磁クラッチ、６０…コントローラ、６１…キャビンコントローラ、６２…メインコントローラ、６２ａ…液排出運転制御部、６２ｂ…タイマ、６２ｃ…回数カウンタ、７３…外気温度計、７４…コンプレッサ温度計
【図１】
0005055161.tif 000002
【図２】
0005055161.tif 000003
【図３】
0005055161.tif 000004
【図４】
0005055161.tif 000005
【図５】
0005055161.tif 000006
【図６】
0005055161.tif 000007